(57)【要約】【課題】フロントモニタを備える光ピックアップ装置において、光学系の構成をシンプルとでき、光源から出射される光束の光量を安定して正確に制御できる構成を提供する。【解決手段】光ピックアップ装置１が備えるフロントモニタ１９は、レーザダイオード１１から出射される光束が対物レンズ１６へと至る経路沿いに、フロントモニタ１９の受光部の受光面がレーザダイオード１１から出射されて対物レンズ１６へと至る光束の光軸ａｘに対して略垂直となるように設けられ、また、対物レンズ１６の有効領域（有効径Ｄ内の領域）に入射する光束にケラレを発生させることなく、レーザダイオード１１から出射される光束の一部を受光部で受光できる位置に配置される。【選択図】図１
2009116991.tif 000002
【特許請求の範囲】
【請求項１】
光源と、
前記光源から出射される光束を光記録媒体の記録面に集光する対物レンズと、
光を受光する受光部を有し、前記光源から出射される光束の光量を検出するフロントモニタと、
を備える光ピックアップ装置において、
前記フロントモニタは、
前記光源から出射される光束が前記対物レンズへと至る経路沿いに、前記受光部の受光面が前記光源から出射されて前記対物レンズへと至る光束の光軸に対して略垂直となるように設けられ、
また、前記対物レンズの有効領域に入射する光束にケラレを発生させることなく、前記光源から出射される光束の一部を前記受光部で受光できる位置に配置されることを特徴とする光ピックアップ装置。
【請求項２】
前記光源から出射される光束の光軸が、前記光記録媒体の記録面に対して略垂直な方向へと向かうように反射する立ち上げミラーを更に備え、
前記フロントモニタは、前記光源と前記立ち上げミラーとの間に配置され、且つ、前記光記録媒体側から平面視した場合に、前記光軸に対して略垂直な方向にずれた状態で配置されることを特徴とする請求項１に記載の光ピックアップ装置。
【請求項３】
前記フロントモニタは、前記光源から出射される発散光の一部を受光する位置に配置されることを特徴とする請求項１又は２に記載の光ピックアップ装置。
【請求項４】
前記光源と前記対物レンズとの間には、入射する発散光を平行光に変換するコリメートレンズが設けられ、
前記フロントモニタは、前記コリメートレンズに近接配置されることを特徴とする請求項３に記載の光ピックアップ装置。
【請求項５】
前記光軸に対して平行な方向に沿って見た場合に、前記フロントモニタは、その一部が前記コリメートレンズと重なるように配置されることを特徴とする請求項４に記載の光ピックアップ装置。
【請求項６】
前記フロントモニタの前記受光部は、前記光軸側に寄った位置に設けられることを特徴とする請求項１から５のいずれかに記載の光ピックアップ装置。
【発明の詳細な説明】
【技術分野】
【０００１】
本発明は、光記録媒体に光束を照射して、光記録媒体に記録される情報の読み取りや、光記録媒体への情報の書き込みを可能とする光ピックアップ装置に関し、特に、光源から出射される光束の光量を検出するために設けられるフロントモニタの配置に関する。
【背景技術】
【０００２】
近年、コンパクトディスク（以下、ＣＤという。）やデジタル多用途ディスク（以下、ＤＶＤという。）といった光記録媒体が普及している。更に、最近では、ＤＶＤよりも更に大容量の情報を記録することができる光記録媒体として、例えば、ＨＤ−ＤＶＤやブルーレイディスク（以下、ＢＤという。）といった光記録媒体も実用化されている。
【０００３】
このような光記録媒体に記録される情報を読み取りや、光記録媒体への情報の書き込みは、光ピックアップ装置を用いて行われる。図５は、従来の光ピックアップ装置１００の光学系の構成を示す概略図である。図５に示すように、従来の光ピックアップ装置１００は、レーザダイオード１０１と、偏光ビームスプリッタ１０２と、コリメートレンズ１０３と、１／４波長板１０４と、立ち上げミラー１０５と、対物レンズ１０６と、光検出器１０７と、フロントモニタ１０８と、を備える。
【０００４】
従来の光ピックアップ装置１００において、レーザダイオード１０１から出射された光束は、偏光ビームスプリッタ１０２で一部反射され、コリメートレンズ１０３で平行光とされ、１／４波長板１０４で円偏光に変換され、立ち上げミラー１０５で反射され、対物レンズ１０６によって光記録媒体（図示せず）の記録面に集光される。
【０００５】
一方、光記録媒体で反射された光束は、対物レンズ１０６を透過して、立ち上げミラー１０５で反射されて、１／４波長板１０４で直線偏光へと変換され、コリメートレンズ１０３、偏光ビームスプリッタ１０２を透過して光検出器１０７へと集光する。光検出器１０７は、受光した光信号を光電変換して電気信号として出力する。
【０００６】
また、光ピックアップ装置１００においては、レーザダイオード１０１から出射された光束の一部は、偏光ビームスプリッタ１０２を透過してフロントモニタ１０８へと導かれるように構成している。フロントモニタ１０８には光を受光する受光部が設けられており、フロントモニタ１０８によって受光した光束の光量を検出することができる。
【０００７】
光ピックアップ装置１００において情報の読み取りや書き込みを行う場合、安定して情報の読み取りや書き込みを行うためには、レーザダイオード１０１から出射されて光記録媒体に照射される光束の光量について正確に制御する必要がある。このために、光ピックアップ装置１００においては、フロントモニタ１０８を設けてレーザダイオード１０１から出射される光束の光量を検出し、検出された光量をフィードバックすることで、光記録媒体に照射される光束の光量を正確に制御している。
【０００８】
ところで、従来の光ピックアップ装置１００においては、偏光ビームスプリッタ１０２を用いてレーザダイオード１０１から出射される光束を分離して、フロントモニタ１０８にレーザダイオード１０１から出射される光束の一部が入射するように構成している。しかしながら、偏光ビームスプリッタ１０２が光束を分離するために備える膜（例えば誘電体多層膜）は、例えば環境変化等の影響によって、その膜特性が変動する場合がある。このために、従来の光ピックアップ装置１００のように、偏光ビームスプリッタ１０２を用いて、対物レンズ１０６に向かう方向とは別の方向へと進む光束をフロントモニタ１０８で受光する構成とした場合には、偏光ビームスプリッタ１０２の膜特性の変動によって、光記録媒体に照射される光束の光量を正確に制御できない場合があった。
【０００９】
また、例えば特許文献１には、発光素子から出射されたレーザビームの一部をフロントモニタ受光素子へ案内する光ガイド部材（放物面ミラー、光ファイバー、プリズム）を設ける構成が示されている。しかし、特許文献１に示される構成の場合には、フロントモニタ用受光素子に光を導くために、光ガイド部材が必要となる。このために、光ピックアップが備える光学部材の数を増やすことになり、部品点数が増えて、例えばコストアップになる等の問題があった。
【特許文献１】特開２００６−３１８６２３号公報
【発明の開示】
【発明が解決しようとする課題】
【００１０】
以上の点に鑑み、本発明の目的は、フロントモニタを備える光ピックアップ装置において、光学系の構成をシンプルとでき、光源から出射される光束の光量を安定して正確に制御できる構成を提供することである。
【課題を解決するための手段】
【００１１】
上記目的を達成するために本発明は、光源と、前記光源から出射される光束を光記録媒体の記録面に集光する対物レンズと、光を受光する受光部を有し、前記光源から出射される光束の光量を検出するフロントモニタと、を備える光ピックアップ装置において、前記フロントモニタは、前記光源から出射される光束が前記対物レンズへと至る経路沿いに、前記受光部の受光面が前記光源から出射されて前記対物レンズへと至る光束の光軸に対して略垂直となるように設けられ、また、前記対物レンズの有効領域に入射する光束にケラレを発生させることなく、前記光源から出射される光束の一部を前記受光部で受光できる位置に配置されることを特徴としている。
【００１２】
これによれば、フロントモニタは、光源から出射される光束が対物レンズへと至る経路沿いに、受光部の受光面を特定の方向に向けて配置される構成であるために、光源から出射される光束の一部を、ミラー等の光ガイド部材を使うことなく受光可能である。また、本発明によれば、フロントモニタは、光源から出射されて対物レンズへと向かう方向に進む光束の一部を受光する構成とできる。すなわち、フロントモニタは、ビームスプリッタ等の分離素子を利用して対物レンズに向かう方向とは別の方向へと進む光束を分離した後に、その光束の光量を検出する構成ではない。このために、分離素子の膜特性の変動による影響を抑制可能である。更に、本発明によれば、フロントモニタを、光源から出射される光束が対物レンズへと至る経路沿いに配置しても、対物レンズの有効領域に入射する光束にケラレを発生させることがない。以上より、本発明によれば、光学系の構成をシンプルとでき、光源から出射される光束の光量を安定して正確に制御することが可能となる。
【００１３】
また、本発明は、上記構成の光ピックアップ装置において、前記光源から出射される光束の光軸が、前記光記録媒体の記録面に対して略垂直な方向へと向かうように反射する立ち上げミラーを更に備え、前記フロントモニタは、前記光源と前記立ち上げミラーとの間に配置され、且つ、前記光記録媒体側から平面視した場合に、前記光軸に対して略垂直な方向にずれた状態で配置されることとしてもよい。
【００１４】
これによれば、光ピックアップ装置を構成するベース部材上にフロントモニタを搭載する場合に、フロントモニタを配置する場所を容易に確保することが可能となり、光ピックアップ装置の製造が容易となる。
【００１５】
また、本発明は、上記構成の光ピックアップ装置において、前記フロントモニタは、前記光源から出射される発散光の一部を受光する位置に配置されるのが好ましい。これによれば、フロントモニタに入射する光束が発散光であるために、フロントモニタの受光部で受光できる光量を多くし易い。
【００１６】
また、本発明は、上記構成の光ピックアップ装置において、前記光源と前記対物レンズとの間には、入射する発散光を平行光に変換するコリメートレンズが設けられ、前記フロントモニタは、前記コリメートレンズに近接配置されることとしてもよい。これによれば、フロントモニタは、光源から出射された発散光の光束が十分拡がった位置で光束を受光でき、対物レンズの有効領域に入射する光束にケラレが発生しないようにしつつ、多くの光量を得やすい。
【００１７】
また、本発明は、上記構成の光ピックアップ装置において、前記光軸に対して平行な方向に沿って見た場合に、前記フロントモニタは、その一部が前記コリメートレンズと重なるように配置されることとしてもよい。これによれば、フロントモニタは、光源から出射されて対物レンズへと至る光束の近くに配置される構成となるので、受光部で受光する光量を多くし易い。
【００１８】
また、本発明は、上記構成の光ピックアップ装置において、前記フロントモニタの前記受光部は、前記光軸側に寄った位置に設けられるのが好ましい。これによれば、フロントモニタの受光部が、光源から出射されて対物レンズへと至る光束の近くに配置されることになるので、受光部で受光する光量を多くできる。
【発明の効果】
【００１９】
本発明によれば、フロントモニタを備える光ピックアップ装置であって、光学系の構成をシンプルとでき、光源から出射される光束の光量を安定して正確に制御できる光ピックアップ装置を提供することができる。
【発明を実施するための最良の形態】
【００２０】
以下、本発明の光ピックアップ装置について実施形態を示し、図面を参照しながらその内容について詳細に説明する。
【００２１】
図１は、本実施形態の光ピックアップ装置の構成を説明するための図で、光学系を上から見た場合の図である。なお、当然ながら、レーザ制御部２１は光学系を構成する要素ではない。図２は、本実施形態の光ピックアップ装置の構成を説明するための図で、光学系を側面から見た場合の図である。なお、理解を容易とするために、光記録媒体２についても一緒に示している。
【００２２】
図１及び図２に示すように、本実施形態の光ピックアップ装置１は、レーザダイオード１１と、偏光ビームスプリッタ１２と、コリメートレンズ１３と、１／４波長板１４と、立ち上げミラー１５と、対物レンズ１６と、シリンドリカルレンズ１７と、光検出器１８と、フロントモニタ１９と、を備える。
【００２３】
レーザダイオード１１は、特定の波長を有するレーザビーム（光束）を出射する光源である。本実施形態の光ピックアップ装置１においては、ＢＤに対して情報の読み取りや情報の書き込みを行えるように、レーザダイオード１１から出射されるレーザビームの波長は４０５ｎｍとしている。レーザダイオード１１から出射されるレーザビームは、その断面が楕円形状となっているが、垂直方向（図１において紙面に対して垂直な方向）よりも水平方向（図１において紙面に対して平行な方向）の方が、ビームが拡がった状態となっている。すなわち、レーザダイオード１１から出射されるレーザビームの放射角が、垂直方向に比べて水平方向の方が大きい状態となっている。
【００２４】
偏光ビームスプリッタ１２は、レーザダイオード１１から出射された所定の偏光方向を有する直線偏光を透過する。一方で、光記録媒体２で反射された戻り光（復路のレーザビーム）について反射させる。なお、偏光ビームスプリッタ１２に入射する戻り光は、１／４波長板１４の作用により、レーザダイオード１１から出射された直線偏光と偏光方向が９０°異なっている。偏光ビームスプリッタ１２を透過した往路のレーザビームは、コリメートレンズ１３へと送られる。
【００２５】
コリメートレンズ１３は、入射する発散光を平行光に変換する機能を有する。このため、偏光ビームスプリッタ１３から送られてきた発散光のレーザビームは、コリメートレンズ１３によって平行光に変換される。コリメートレンズ１３から出射された往路のレーザビームは、１／４波長板１４へと送られる。
【００２６】
１／４波長板１４は、直線偏光である往路のレーザビームについて円偏光に変換するとともに、円偏光である復路のレーザビームについて、往路のレーザビームと偏光方向が９０°異なる直線偏光に変換する機能を有する。１／４波長板１４から出射された往路のレーザビームは、立ち上げミラー１５に送られる。
【００２７】
立ち上げミラー１５は、１／４波長板１４から送られてきたレーザビームについて、その光軸ａｘが光記録媒体２の記録面２ａに対して垂直となるように反射する。立ち上げミラー１５で反射された往路のレーザビームは、対物レンズ１６へと送られる。
【００２８】
対物レンズ１６は、立ち上げミラー１５から送られてきたレーザビームについて、光記録媒体２の記録面２ａに集光する。なお、対物レンズ１６は、図１及び図２に示すような有効径Ｄを有し、有効径Ｄ内（有効領域）に入射して光記録媒体２の記録面２ａ上に結像したビームスポットが、情報の読み取りや書き込みを行うために寄与する。
【００２９】
ここで、「レンズの有効径」とは、一般に「所定の光学性能を得るために光束が通過する領域（有効領域）」のことを指し、本明細書でもこの意味で使用している。有効領域より広い部分で光束が通過しても、光学性能には影響せず、逆に、光束が有効領域より狭い部分しか通過しない場合には、所定の光学性能が得られなくなる。
【００３０】
対物レンズ１６は、アクチュエータ２０に搭載され、光記録媒体２に接離する方向であるフォーカス方向と、ディスク状に形成される光記録媒体２の半径方向と平行な方向であるトラッキング方向（図２おいては、紙面に対して垂直な方向が該当）に移動可能とされている。これは、対物レンズ１６の焦点位置が常に光記録媒体２の記録面２ａに合致するように制御するフォーカシング制御と、対物レンズ１６によって集光されて形成されるビームスポットが、常に光記録媒体２に形成されるトラックに追従するように制御するトラッキング制御と、を実行可能とするためである。
【００３１】
ところで、図２に示すように、本実施形態の光ピックアップ装置１においては、対物レンズ１６に入射するレーザビームの直径は、対物レンズ１６の有効径Ｄよりも所定の量だけ大きくなっている。これについて、図３を参照しながら説明する。なお、図３は、本実施形態の光ピックアップ装置１において、対物レンズ１６に入射するレーザビームの直径を対物レンズ１６の有効径Ｄより大きくする理由を説明するための図である。
【００３２】
上述のように、対物レンズ１６は、トラッキング制御のためにトラッキング方向（これは、水平方向と一致する）に移動する。このために、図３に示すように、対物レンズ１６の有効領域も、当然、トラッキング方向に移動することになる。このために、対物レンズ１６に入射するレーザビームの直径を仮に対物レンズ１６の有効径と同一とすると、トラッキング制御により対物レンズ１６が移動すると、対物レンズ１６の有効領域に入射するレーザビームにケラレが生じることになる。
【００３３】
このために、対物レンズ１６に入射するレーザビームの直径（入射径）については、トラッキング制御時における、対物レンズ１６の有効領域の最大移動範囲を考慮して決定する必要がある（図３参照）。なお、この入射径をあまり大きくすると、光ピックアップ装置の大型化につながるので、本実施形態においては、対物レンズ１６の有効領域の最大移動範囲とほぼ同等としている。
【００３４】
なお、本実施形態においては、立ち上げミラー１５で反射されたレーザビームが、直接対物レンズ１６に入射する構成としているが、この構成に限定されない。すなわち、対物レンズ１６の手前にアパーチャを設けて、対物レンズ１６に入射するレーザビームの径を、所定の大きさに絞る構成としても構わない。この場合には、アパーチャもアクチュエータ２０に搭載して、対物レンズ１６とともに移動する。
【００３５】
図１に戻って、シリンドリカルレンズ１７は、光記録媒体２で反射されて、対物レンズ１６、立ち上げミラー１５、１／４波長板１４、コリメートレンズ１３、の順に通過し、偏光ビームスプリッタ１２で反射された復路のレーザビームに対して、非点収差を与える。シリンドリカルレンズ１７を出射した復路のレーザビームは、光検出器１８に送られる。
【００３６】
光検出器１８は、シリンドリカルレンズ１７から送られてきたレーザビームを図示しない受光領域で受光し、得られた光信号を電気信号へと変換する。光検出器１８から出力される電気信号は処理されて、再生信号や、フォーカスエラー信号や、トラッキングエラー信号等となる。
【００３７】
フロントモニタ１９は、光を受光するための受光部１９ａ（図４参照）を有し（受光部１９ａが設けられる位置の詳細は後述する）、レーザダイオード１１から出射されるレーザビームの光量を検出する。このフロントモニタ１９は、レーザダイオード１１の駆動を制御するレーザ制御部２１と電気的に接続されている。そして、フロントモニタ１９は、光量の検出結果をレーザ制御部２１に送信する。
【００３８】
レーザ制御部２１は、フロントモニタ１９から送られてきた信号に基づいて、レーザダイオード１１から出射されるレーザパワーが狙いの値となるように、レーザダイオード１１の駆動を制御する。すなわち、フロントモニタ１９の存在によって、レーザダイオード１１から出射されるレーザビームの光量を制御できるようになっている。
【００３９】
フロントモニタ１９は、レーザダイオード１１から出射されるレーザビームが対物レンズ１６へと至る経路沿いに、その受光部１９ａの受光面が光軸ａｘに対して略垂直となるように配置されている。このために、フロントモニタ１９は、レーザダイオード１１から出射されて、対物レンズ１６の方向へと進む光束の一部を受光することになる。したがって、偏光ビームスプリッタ１２の膜特性が変動した場合にも、光記録媒体２に照射される光束の光量を正確に制御することが可能である。
【００４０】
また、フロントモニタ１９は、それを配置したことによって、対物レンズ１６の有効領域に入射するレーザビームにケラレが生じないように配置されている。上述のように、対物レンズ１６に入射するレーザビームは、トラッキング制御時の対物レンズ１６の移動を考慮して、対物レンズ１６の有効径Ｄより所定量大きな直径を持つレーザビームが入射するように構成している。すなわち、コリメートレンズ１３の有効径についても、対物レンズ１６の有効径Ｄより所定量大きな径となるように構成している。
【００４１】
したがって、フロントモニタ１９をコリメートレンズ１３の有効径より外側に配置すれば、対物レンズ１６がトラッキング方向に移動した場合も含めて、フロントモニタ１９の存在によって、対物レンズ１６の有効領域に入射するレーザビームにケラレが発生しない。このような狙いから、本実施形態においては、フロントモニタ１３は、コリメートレンズ１３の有効径より外側に配置されている。
【００４２】
また、フロントモニタ１９は、コリメートレンズ１３より手前（レーザダイオード１１側）の位置において、コリメートレンズ１３に近接配置される。したがって、フロントモニタ１９は、レーザダイオード１１から出射される発散光のレーザビームを受光する。そして、コリメートレンズ１３に近接配置としているために、対物レンズ１６の有効領域に入射するレーザビームについてケラレを生じさせないという条件を満たしつつ、十分な光量を得ることが可能となっている。
【００４３】
また、フロントモニタ１９は、光軸ａｘに対して平行な方向に沿って見た場合（すなわち、図１の左右方向に見た場合）、その一部がコリメートレンズ１３と重なるように配置されている。これは、フロントモニタ１９を少しでも光軸ａｘに近い位置に配置して、フロントモニタ１９の受光部１９ａで受光する光量を増やせるようにするためである。もちろん、上述のように、フロントモニタ１９は、コリメートレンズ１３の有効径外に留まる位置である。
【００４４】
また、フロントモニタ１９は、図１の平面内において、光軸ａｘに対して略垂直な方向にずれた状態で配置されている。すなわち、フロントモニタ１９は、光軸ａｘに対して水平方向にずれた状態で配置されている。上述のように、本実施形態においては、レーザダイオード１１から出射されるレーザビームは、水平方向に放射角が大きくなっている。このために、本実施形態のフロントモニタ１９の配置は、対物レンズ１６に入射するレーザビームにケラレを生じさせずに多くの光量を得るために、好ましい配置となっている。
【００４５】
また、このように、フロントモニタ１９を光軸ａｘに対して水平方向にずらして配置する構成の場合には、光ピックアップ装置１に備えられる他の光学部材（例えば、ビームスプリッタ１２、コリメートレンズ１３、１／４波長板１４、立ち上げミラー１５等）と並べて、光ピックアップ装置１を構成するベース（図示せず）上に配置しやすい。このために、光ピックアップ装置１の構成を簡易なものとできる。
【００４６】
次に、フロントモニタ１９が備える受光部１９ａの位置について、図４を参照しながら説明する。なお、図４は、本実施形態の光ピックアップ装置１が備えるフロントモニタ１９の受光部１９ａについて説明するための図で、光軸ａｘに沿ってフロントモニタ１９を見た場合の概略平面図である。図４においては、コリメートレンズ１３も合わせて示している。
【００４７】
図４に示すように、フロントモニタ１９の受光部１９ａは、その受光面の真ん中ではなく、光軸ａｘ寄りに形成されている。すなわち、フロントモニタ１９の外形端面と受光部１９ａとの距離Ｌができる限り小さくなるように構成している。このように構成することにより、レーザダイオード１１から出射されるレーザビームの一部を効率良く受光することができる。
【００４８】
なお、受光部１９ａの受光面の形状は、本実施形態においては略円形としているが、これに限定されず、受光面の形状は種々の形状に変更可能である。
【００４９】
また、受光部１９ａは、本実施形態のように光軸ａｘ寄りに形成せず、例えば真ん中に配置する構成としても構わない。ただし、フロントモニタ１９は、ハンダ付けをするための接合部を確保する必要性があったり、ゲインアンプをその内部に設ける場合があったりするために、通常は、ある程度の大きさを確保する必要がある。このために、本実施形態のように、受光部１９ａを光軸ａｘ寄りに配置するのは有効である。
【００５０】
以上のように光ピックアップ装置１を構成した場合には、偏光ビームスプリッタ１２の膜特性が変動した場合であっても、その影響を受けずに、光記録媒体に照射される光束の光量を安定して正確に制御できる。また、余分な光学部材を設けることなく、光記録媒体に照射される光束の光量を正確に制御できる。
【００５１】
以上に示した実施形態は一例であり、本発明は、上述の実施形態に限定されるものではなく、本発明の目的を逸脱しない範囲で種々の変更が可能である。
【００５２】
以上の実施形態においては、フロントモニタ１９を光軸ａｘに対して水平方向（図１の上下方向）にずらした状態で配置する構成とした。しかし、この構成に限定される趣旨ではない。すなわち、例えばフロントモニタ１９を光軸ａｘに対して垂直方向（図１において、紙面と垂直な方向）にずらした状態で配置する構成等としても構わない。特に、レーザダイオード１１から出射されるレーザビームについて、垂直方向の放射角が広い場合には、その方が好ましい。
【００５３】
また、以上に示した実施形態では、フロントモニタ１９は、コリメートレンズ１３に近接配置される構成とした。しかし、この構成に限定されず、フロントモニタ１９をコリメートレンズ１３から離した位置に配置しても構わない。また、コリメートレンズ１３の手前に限定する趣旨でもない。
【００５４】
また、以上に示した実施形態では、フロントモニタ１９は、光軸ａｘ方向に沿って見た場合に、その一部がコリメートレンズ１３と重なるように配置される構成としたが、この構成に限定される趣旨ではない。すなわち、光軸ａｘ方向に沿って見た場合に、フロントモニタ１９とコリメートレンズ１３が重ならない構成としても構わない。
【００５５】
その他、本実施形態においては、光ピックアップ装置１はＢＤに対応する構成とした。しかし、これに限定される趣旨ではない。すなわち、本発明は、ＢＤ以外の光ディスクに対応する光ピックアップ装置に対しても勿論適用可能であるし、複数種類の光ディスクに対応する光ピックアップ装置に対しても勿論適用可能である。
【産業上の利用可能性】
【００５６】
本発明の光ピックアップ装置によれば、光学系の構成をシンプルな状態としてフロントモニタを備えることができ、更に、環境変化の影響等を受けることなく、光源から出射される光束の光量を安定して正確に制御することが可能である。したがって、本発明の光ピックアップ装置は、産業上有用である。
【図面の簡単な説明】
【００５７】
【図１】は、本実施形態の光ピックアップ装置の構成を説明するための図で、光学系を上から見た場合の図である。
【図２】は、本実施形態の光ピックアップ装置の構成を説明するための図で、光学系を側面から見た場合の図である。
【図３】は、本実施形態の光ピックアップ装置において、対物レンズに入射するレーザビームの直径を対物レンズの有効径より大きくする理由を説明するための図である。
【図４】は、本実施形態の光ピックアップ装置が備えるフロントモニタの受光部について説明するための図で、光軸に沿ってフロントモニタを見た場合の概略平面図である。
【図５】は、従来の光ピックアップ装置の光学系の構成を示す概略図である。
【符号の説明】
【００５８】
１        光ピックアップ装置
２        光記録媒体
２ａ      記録面
１３      コリメートレンズ
１５      立ち上げミラー
１６      対物レンズ
１９      フロントモニタ
１９ａ    受光部
ａｘ      光軸
Ｄ        対物レンズの有効径
【図１】
2009116991.tif 000003
【図２】
2009116991.tif 000004
【図３】
2009116991.tif 000005
【図４】
2009116991.tif 000006
【図５】
2009116991.tif 000007